(57)【要約】【課題】  電子機器のデザイン性、コスト等の面で好適で、確実な拡張装置のロック構造の提供を目的とする。  【解決手段】歯車６０ａがロック位置に回転されると歯車６０ａは操作片８５と対向して保持部６４が位置する。操作片８５は保持部６４の保持面６４ｄ内面に接触され上壁６４ａにより保持される。歯車６０ａがロック位置に回転するとロック部材８０ａはロック解除位置からロック位置に軸９０ａを中心に回動されロック片８４が電子機器１の係止孔１ｂに係合する。この構成により電子機器１は拡張装置２にロックされる状態となる。【選択図】  図７
2006184998.tif 000002
【特許請求の範囲】
【請求項１】
両側部にそれぞれ係合孔を有する電子機器に着脱可能な拡張装置において、
上記電子機器が載置される載置部と、
モータと、
上記モータの駆動力が伝達される伝達機構と、
上記モータと上記伝達機構により、ロック解除位置から上記電子機器の上記それぞれの係合孔に係合するロック位置へ移動される一対のロック部材と、
を具備することを特徴とする拡張装置。
【発明の詳細な説明】
【技術分野】
【０００１】
本発明は、ノート型コンピュータ等の電子機器に接続可能な拡張装置にかかり、特に拡張装置のロック構造に関する。
【背景技術】
【０００２】
従来、セキュリティーを目的としたノート型コンピュータ等(電子機器)の拡張装置として、モータによりフラップ（ロック片）を電子機器の専用の溝に係合させる構造がすでに提案され、かつロック片をモータ駆動する提案がある。（特許文献１）。
【特許文献１】特開７−１０４８８４号公報（第４、５図等）
【発明の開示】
【発明が解決しようとする課題】
【０００３】
しかし、特許文献１に記載の電子機器にはロック片が係合するための専用の係合溝を電子機器側に設ける必要があり、電子機器側のデザイン性、コスト等の面で好適ではない。
【０００４】
そこで本発明は、電子機器のデザイン性、コスト等の面で好適で、確実な拡張装置のロック構造の提供を目的とする。
【課題を解決するための手段】
【０００５】
上記目的を達成するために、両側部にそれぞれ係合孔を有する電子機器に着脱可能な拡張装置において、上記電子機器が載置される載置部と、モータと、  上記モータの駆動力が伝達される伝達機構と、上記モータと上記伝達機構により、ロック解除位置から上記電子機器の上記それぞれの係合孔に係合するロック位置へ移動される一対のロック部材と、を具備することを特徴とする。
【発明の効果】
【０００６】
本発明によれば、電子機器のデザイン性、コスト等の面で好適で、確実な拡張装置のロック構造を提供することが可能である
【発明を実施するための最良の形態】
【０００７】
以下本発明に係る実施の形態を、図面を参照して説明する。
【０００８】
図１は、電子機器に拡張装置が接続されている状態の平面図である。図２は、電子機器に拡張装置が接続されている状態の断面図である。
【０００９】
図１、２に示すよう、拡張装置２の上面には電子機器１接続することが可能である。拡張装置２は機能部３と電子機器１が載置される載置部４とを有している。載置部４と機能部３とは連結部６により連結されている。載置部４の上面にはコネクタ４ａが設けられている。コネクタ４ａは図示しない電子機器の底面に設けられているコネクタが着脱可能に接続可能である。上面の両側部には電子機器１の側部と対向する一対の突起５ａ、５ｂが設けられる。
【００１０】
図３は、ロック機構のロック解除状態を示す平面図である。図９は、ロック解除状態におけるスライドプレートの状態を示す平面図である。図１１は、ロック解除状態における係合プレートの状態を示す平面図である。
【００１１】
図３は載置部４の部分のみの平面を示しており、かつ上面４ａを取外した上体である。便宜上基板等は図示していない。図３に示すように載置部４のほぼ中央にはスライドプレート１０が設けられている。スライドプレート１０の上面には係合プレート２０が重なって設けられている。スライドプレート１０の一側部にはラック１２、１３、１４が設けられている。さらにスライドプレート１０にはスリット１５ａ、１５ｂが設けられている。またスライドプレート１０のほぼ中央にはテーパ孔１６が開口されている。
【００１２】
係合プレート２０にはスリット２２ａ、２２ｂ、２２ｃ、２２ｄが設けられている。スライドプレート１０のスリット１５ａ、１５ｂはそれぞれ係合プレート２０のスリット２２ａ、２２ｂと重なり合っており、軸３０ａ、３０ｂに沿ってそれぞれスライド可能である。スライドプレート１０はスリット１５ａ、１５ｂを介して軸３０ａ、３０ｂに沿って左右にスライド可能である。軸３０ｃ、３０ｄはそれぞれ係合プレート２０のスリット２２ｃ、２２ｄに挿入されており係合プレート２０はスリット２２ａ、２２ｂ、２２ｃ、２２ｄを介して軸３０ａ、３０ｂ、３０ｃ、３０ｄに沿って上下にスライド可能である。
【００１３】
載置部４の底面には一対の係止部３１ａ、３１ｂが設けられており板バネ２１の両端２１ａ、２１ｂがそれぞれ係止部３１ａ、３１ｂに係止されている。板バネ２１は常に係合プレートを図面における下方に向かって付勢している。係合プレート２０には板バネ２１を保持する保持部２５が設けられている。
【００１４】
係合プレート２０には電子機器の底面に係合する係合爪２３ａ２３ｂ、２３ｃが設けられている。係合爪２３ａ２３ｂ、２３ｃは係合プレートより載置面方向に突出されている。図１３は、係合プレートの係合爪と電子機器との関係を示している。図１３に示すように係合プレート２０がロック解除状態にあるときは係合爪２３ａ２３ｂ、２３ｃは図１３における点線状態に位置し、この状態では電子機器１の底面の係合部１ｃの孔部に挿入された状態であり、まだ係合部１ｃには係合されていない状態である。係合プレート２０が後述するロック位置にスライドされると電子機器１の係合部１ｃに係合爪２３ａ２３ｂ、２３ｃが係合(図１３における実線位置)することで電子機器１を拡張装置２にロックすることになる。
【００１５】
図３において、載置部４にはモータ４０が設けられている。モータ４０には歯車４１が設けられている。歯車４１は歯車４２にモータ４０の駆動力を伝達する。歯車４２はモータ４０の駆動力をさらに歯車４３に伝達し、同様に歯車４３からは歯車４４にモータ４０の駆動力が伝達される。歯車４４にはスライドプレート１０のラック１３が係合している。スライドプレート１０はロック解除状態ではモータ４０により歯車４１、４２、４３、４４、ラック１３を介して右方向にスライドされた状態である。スライドプレート１０は右方向にスライドする際、スリット１５ａ、１５ｂを介して軸３０ａ、３０ｂに沿って右方向にスライドされる。
【００１６】
図４は、ロックユニットの拡大図である。図５は、歯車の拡大図である。図６は、電子機器からロック片がロック解除している状態を示す図である。
【００１７】
載置部４には図３、４、５に示すような歯車６０ａが設けられている。載置部４にはマウント板５０ａが実装されており、図６に示すように載置部４の底面４ｂにはボス４ｃ、４ｄが設けられており、このボス４ｃ、４ｄにマウント板５０ａが図示しないねじにより取り付けられている。マウント板５０ａには歯車６０ａが取り付けられている。図４、図５に示すように歯車６０ａは軸６２お中心に回転可能であり、周囲の一部にギア６１が設けられている。歯車６０ａの上面には凸部６３が設けられている。凸部６３は、図５に示すように、歯車６０ａの上面より傾斜したテーパ面６３ａと待機面６３ｂとが設けられている。さらに歯車６０ａには保持部６４が設けられている。保持部６４は図５に示すように歯車６０ａの上面と平行な上壁６４ａと歯車６０ａの上面と上壁６４とを連結する側壁６４ｂとから構成される。
【００１８】
図３、４、６に示すようにマウント板５０ａと一体に形成され、上面より上方に突出する一対の保持部５０ｂ、５０ｃが設けられる。保持部５０ｂ，５０ｃには軸９０ａの端部９１、９２が固定さられており、この軸９０ａにはロック部材８０ａが回転自在に設けられている。ロック部材８０ａは、図４、６に示すように一対の保持片８２，８３が設けられており、それぞれ軸９０ａに回転自在に軸止されている。ロック部材８０ａは保持片８２、８３を連結する連結部８１を有しており、この連結部８１の丈夫にはロック片８４が設けられている。さらに連結部８１の下端には歯車６０ａ方向に延びる操作片８５を有している。軸９０ａにはバネ１００ａが巻回されており、バネ１００ａの一端１０１ａは操作片８５の上面を下方に押す方向に操作し、バネ１００ａの他端１０１ｂはマウント板５０ａに係止されている。このバネ１００ａによりロック部材８０ａは常に操作片８５を下方に押す方向に付勢されており、ロック片８４は後述するロック方向に付勢回転されている。操作片８５は歯車６０ａの上面に接している。
【００１９】
図４、６に示すようにロック解除状態においては、歯車６０ａがロック解除方向に回転されて、凸部６３のテーパ面６３ａに沿って操作片８５はバネ１００ａの付勢に反し上方に押し上げられ、待機面６３ｂ上に待機される。図４に示すようにマウント板５０ａには歯車６０ａ、ロック部材８０ａ、バネ１００ａ、軸９０ａが搭載されており、ロックユニットを構成している。同様にマウント板５０ｂ、歯車６０ｂ、ロック部材８０ｂ、軸９０ｂ、バネ１００ｂにより構成されるロックユニットが載置部４には設けられており、歯車６０ｂはピニオン１１０を介してラック１２に連結されている。
【００２０】
図７は、電子機器にロック片がロックしている状態を示す図である。図７に示すように電子機器１の側面１ａには係合孔１ｂが設けられている。この係合用の係合孔１ｂは電子機器１単体を市販されているロックキーを挿入してロックするためのものである。
【００２１】
図７に示すように歯車６０ａがロック位置に回転されると歯車６０ａは操作片８５と対向して保持部６４が位置する。操作片８５は保持部６４の保持面６４ｄ内面に接触され上壁６４ａにより保持される。保持部６４はバネ１００ａの緩みによる不勢力低下に起因してロック部材がロック解除方向に回転しないようにするための補助的なもの機構である。このように歯車６０ａがロック位置に回転するとロック部材８０ａはロック解除位置からロック位置に軸９０ａを中心に回動されロック片８４が電子機器１の係止孔１ｂに係合する。この構成により電子機器１は拡張装置２にロックされる状態となる。したがって、電子機器１は係止孔１ｂへのロック片８４の係合と係合部１ｃ（３箇所）への係合爪２３ａ，２３ｂ，２３ｃの係合によりロックされることになる。係止孔１ｂへのロック片８４の係合は、電子機器１の図示しないコネクタと拡張装置２のコネクタ４ａとのコネクタ結合の抜け防止として効果を有し、係合部１ｃ（３箇所）への係合爪２３ａ，２３ｂ，２３ｃの係合は、電子機器１の前端を持って持ち上げようとしたときの電子機器１の浮き上がり防止でありかつコネクタ４ａと電子機器の図示しないコネクタとのコネクタ破損防止として効果を有している。これらの傾向構造により電子機器１は拡張装置２にロックされることになる。
【００２２】
次にスライドプレート１０、係合プレート２０のロック解除位置からロック位置への移動について詳述する。
【００２３】
図８は、ロック機構のロック状態を示す平面図である。図１０は、ロック状態におけるスライドプレートの状態を示す平面図である。図１２は、ロック状態における係合プレートの状態を示す平面図である。
【００２４】
図８、１０に示すように、モータ４０が回転すると、モータ４０の歯車４１はモータ４０の駆動力を歯車４２に伝達する。歯車４２は図８中の矢印方向に回転される。歯車４２が回転すると歯車４３が図８中の矢印方向に回転され、歯車４３の回転に応じて歯車４４が図８中の矢印方向に回転される。歯車４３が矢印方向に回転されると、スライドプレート１０のラック１３にモータの４０の駆動力が伝達され、スライドプレート１０は図８中の矢印Ａ方向にスライドする。この際スライドプレート１０はスリット１５ａ、１５ｂを介して軸３０ａ，３０ｂに沿って矢印Ａ方向にスライドされる。
【００２５】
スライドプレート１０が矢印Ａ方向にスライドされると、スライドプレート１０のラック１４は歯車６０ａを図８中矢印方向に回転させる(ロック位置)。同様にラック１２はピニオン１１０を図８中矢印方向に回転させる。ピニオン１１０が回転すると歯車６０ｂが図８中矢印方向に回転される。歯車６０ａ、６０ｂがロック解除位置からロック位置に回転されると前述した機構によりロック部材８０ａ、８０ｂはロック解除位置からロック位置に回動され、電子機器１の係合孔１ｂに係合する。
【００２６】
図１２に示すように係合プレート２０はスライドプレート１０のロック解除位置からロック位置へのスライドに応じてバネ２１の付勢に反して図１１に示すロック解除位置からロック位置へスライド（図１２中矢印Ｂ方向）される。
【００２７】
図１１，１２に示すように係合プレートのほぼ中央には係合プレート２０より下方に突出する突起２４が設けられている。突起２４は図３，８、９，１０に示すようにスライドプレート１０のテーパ孔１６に挿入されている。スライドプレート１０のスライドに伴って突起２４は相対的にテーパ孔１６内部の移動することとなる。
【００２８】
テーパ孔１６と突起２４との相対的な関係を、図１４、１５を使用して説明する。図１４は、ロック解除状態からロック状態へ遷移するスライドプレートのカム孔と駆動軸との関係を示す図である。
【００２９】
図１４に示すようにテーパ孔１６は第１の保持部１６ａ、第２の保持部１６ｂ、第１のテーパ面１６ｃ、第２のテーパ面１６ｄを有している。スライドプレート１０および係合プレート２０がロック解除位置に位置するとき、突起２４はテーパ孔１６内において第２の保持部１６ｂに位置する。係合プレート２０は図３，１１に示すように板バネ２１によりロック位置方向に付勢されているがテーパ孔１６の第２の保持部１６ｂにより突起が保持されているため係合プレート２０はロック解除位置にとどまっている（図１４中Ａ状態）。スライドプレート１０が図１４中矢印Ｃ方向にスライドすると第１のテーパ面１６ｃが突起２４を矢印Ｄ方向に押し出す(図１４中Ｂ状態)。さらにスライドプレートが矢印Ｅ方向にスライドされロック位置までスライドされると突起２４はテーパ面１６ｃを超え第１の保持部１６ａまで到達し、第１の保持部１６ａにて保持される(図１４中Ｃ状態)。この用にスライドプレート１０のロック解除位置からロック位置へのスライドに応じて突起２４とテーパ孔１６との関係により係合プレート２０はロック解除位置からロック位置へスライドされる。
【００３０】
次にロック位置に位置するスライドプレート１０がロック解除位置にスライドされるときの係合プレート２０の動きについて説明する。図１５は、ロック状態からロック解除状態へ遷移するスライドプレートのカム孔と駆動軸との関係を示す図である。
【００３１】
図１５に示すように、スライドプレート１０がロック位置に位置するとき突起２４は第１の保持部１６ａに位置する(図１５中Ｄ状態)。スライドプレートがロック位置からロック解除位置にスライド(図１５注矢印Ｇ方向)されると突起２４は第２のテーパ面１６ｄにより図１５中矢印Ｈ方向に押し上げられる(図１５中Ｅ状態)。これにより係合プレート２０はロック位置よりロック解除位置方向へスライドされる。さらにスライドプレートを矢印Ｉ方向へスライドすると突起２４は第２のテーパ面１６ｄにより図１５中矢印Ｊ方向に押し上げられ、第２の保持部１６ｂに保持される（図１５中Ｆ状態）。
【００３２】
この一連の動きによりスライドプレート１０がロック位置からロック解除位置へスライドされると係合プレート２０もロック位置からロック解除位置へスライドされる。これにより、電子機器１と拡張装置とのロックはロック解除される。
【００３３】
なお、スライドプレートのロック位置とロック解除位置との間のスライドはいずれもモータ４０による駆動力の伝達により行われる。また、電子機器１が拡張装置２の載置部４に載置されると、コネクタ４と電子機器１のコネクタとの結合が成される。このコネクタを介して電気的に電子機器１が載置部４に載置されてことを検知し、図示しない制御部よりモータ４０に駆動命令が出される。電子機器１が載置されたことを検知するとモータ４０が駆動しスライドプレート１０がロック解除位置よりロック位置に駆動し、ロック部材８０ａ．８０ｂが電子機器の係合孔１ｂに係合する。さらにスライドプレート１０のスライドに伴って係合プレート２０もロック解除位置よりロック位置にスライドされることで係合爪２３ａ，２３ｂ，２３ｃが電子機器１の底面に設けられている係合部１ｃに係合する。ロック解除する際は図示しないイジェクトボタンあるいは電子機器１からの信号によりモータ４０を逆回転させスライドプレート１０および係合プレート２０をロック位置よりロック解除位置へスライドさせることで電子機器１と拡張装置２とのロックを解除し、イジェクトすることが可能となる。
【００３４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３５】
【図１】電子機器に拡張装置が接続されている状態の平面図。
【図２】電子機器に拡張装置が接続されている状態の断面図。
【図３】ロック機構のロック解除状態を示す平面図。
【図４】ロックユニットの拡大図。
【図５】歯車の拡大図。
【図６】電子機器からロック片がロック解除している状態を示す図。
【図７】電子機器にロック片がロックしている状態を示す図。
【図８】ロック機構のロック状態を示す平面図。
【図９】ロック解除状態におけるスライドプレートの状態を示す平面図。
【図１０】ロック状態におけるスライドプレートの状態を示す平面図。
【図１１】ロック解除状態における係合プレートの状態を示す平面図。
【図１２】ロック状態における係合プレートの状態を示す平面図。
【図１３】係合プレートの係合爪と電子機器との関係を示す断面図。
【図１４】ロック解除状態からロック状態へ遷移するスライドプレートのカム孔と駆動軸との関係を示す図。
【図１５】ロック状態からロック解除状態へ遷移するスライドプレートのカム孔と駆動軸との関係を示す図。
【符号の説明】
【００３６】
１…電子機器、２…拡張装置、４…載置部、４ａ…コネクタ、５ａ，５ｂ…一対の突起、１０…スライドプレート、２０…係合プレート、１２、１３、１４…ラック、１６…テーパ孔、１５ａ、１５ｂ、２２ａ、２２ｂ、２２ｃ、２２ｄ…スリット、２３ａ、２３ｂ、２３ｃ…係合爪、２４…突起、３０ａ、３０ｂ、３０ｃ、３０ｄ…軸、３１ａ、３１ｂ…一対の係止部、２１…板バネ、３１ａ、３１ｂ…係止部、２５…保持部、４０…モータ、４１，４２，４３，４４、６０ａ、６０ｂ…歯車、５０ａ、５０ｂ…マウント板、６３…凸部、６４…保持部、８０ａ、８０ｂ…ロック部材、８４…ロック片、８５…操作片、９０ａ、９０ｂ…軸、１００ａ、１００ｂ…バネ
【図１】
2006184998.tif 000003
【図２】
2006184998.tif 000004
【図３】
2006184998.tif 000005
【図４】
2006184998.tif 000006
【図５】
2006184998.tif 000007
【図６】
2006184998.tif 000008
【図７】
2006184998.tif 000009
【図８】
2006184998.tif 000010
【図９】
2006184998.tif 000011
【図１０】
2006184998.tif 000012
【図１１】
2006184998.tif 000013
【図１２】
2006184998.tif 000014
【図１３】
2006184998.tif 000015
【図１４】
2006184998.tif 000016
【図１５】
2006184998.tif 000017